(57)【要約】      （修正有）【課題】運動内容に応じた脚力の強化を図ることで競技に適した運動能力を効果的に向上させることができる靴用補助具を提供する。【解決手段】上面がスポーツシューズ１００における踵部１０２を除く底面に対向する底部１と、底部１の上面との間にスポーツシューズ１００の爪先部１０１が嵌入する空間を設けて底部１における少なくとも爪先側端部の内側及び外側に連続する爪先被覆部２と、底部１における後端部の内側面１１及び外側面１２に両端部が支持された帯状を呈する締着部３であってスポーツシューズ１００の踵部１０２に爪先側に向かって当接する締着部３と、を備えた。【選択図】図３
0003228114.tif 000002
【実用新案登録請求の範囲】
【請求項１】
上面が靴の踵部を除く底面に対向する底部と、
前記底部の上面との間に前記靴の爪先部が嵌入する空間を設けて前記底部における少なくとも爪先側端部の内側及び外側に連続する爪先被覆部と、
前記底部における後端部の内側面及び外側面に両端部が支持された帯状を呈し、前記靴の前記踵部に前記爪先側に向かって当接する締着部と、
を備えた靴用補助具。
【請求項２】
前記内側面及び前記外側面は、前記底部における少なくとも後端部から立設した請求項１に記載の靴用補助具。
【請求項３】
前記締着部は、前記内側面及び前記外側面に両端部が回転自在に支持された請求項１又は２に記載の靴用補助具。
【請求項４】
前記締着部は、全長を変更する調整機構を備えた請求項１乃至３の何れかに記載の靴用補助具。
【請求項５】
前記底部における踵側の端部に少なくとも１条の切断用溝を形成した請求項１乃至４の何れかに記載の靴用補助具。
【請求項６】
前記爪先被覆部は、幅方向への伸張構造を備えた請求項１乃至５の何れかに記載の靴用補助具。
【考案の詳細な説明】
【技術分野】
【０００１】
この考案は、脚力の強化及び運動能力の向上を図る目的で靴に外装して使用される靴用補助具に関する。
【背景技術】
【０００２】
近年、体力の強化や運動能力の向上を図るために種々の用具や器具が提案されており、特に、脚力の強化を主目的としたウォーキングシューズや健康サンダル等の履物が多数製品化されている。
【０００３】
下肢の筋肉のうちでも、内外の腓腹筋及びヒラメ筋からなる下腿三頭筋は、足首の動きを司るだけでなく血液循環機能に重要な役割を果たす。このため、下腿三頭筋の鍛練は、下肢の運動能力を維持するためだけでなく、血液系疾患を予防するためにも効果的であるとされている。
【０００４】
そこで、従来から、下腿三頭筋の下部に連結したアキレス腱を伸張させることで下腿三頭筋を刺激して筋力強化を図るようにした履物が提案されている（例えば、特許文献１及び２参照。）。
【先行技術文献】
【特許文献】
【０００５】
【特許文献１】特開２０１４−０７６１８７号公報
【０００６】
【特許文献２】特開２０１５−２１７２７９号公報
【考案の概要】
【考案が解決しようとする課題】
【０００７】
出願人は、運動中におけるアキレス腱の伸張による下腿三頭筋への刺激が、運動能力の向上に役立つことを見出した。即ち、種々の競技の練習時に、アキレス腱を伸張させるとともに踵を接地させないようにして下腿三頭筋を刺激することで、各競技で競技者に要求される運動能力が向上するように脚力を強化できる。
【０００８】
ここで、競技者が着用するスポーツシューズは競技毎に異なり、各競技で競技者に要求される運動能力を効果的に向上させるためには、各競技に専用のスポーツシューズを着用した状態でアキレス腱を伸張させるとともに踵を接地させないようにすることが望ましい。
【０００９】
しかし、従来の履物は何れも素足又は靴下のみを履いた状態で使用するものであり、専用のスポーツシューズを着用する種々の競技の練習中に競技者が使用できるものではく、各競技で競技者に要求される運動能力を効果的に向上させることができない。
【００１０】
この考案の目的は、専用のスポーツシューズを着用した種々の競技の練習を含む靴を履いた状態での運動中にアキレス腱の伸張及び踵の無接地状態の維持によって下腿三頭筋へ刺激を効果的に与えることができ、運動内容に応じた脚力の強化を図ることで各競技に適した運動能力を効果的に向上させることができる靴用補助具を提供することにある。
【課題を解決するための手段】
【００１１】
この考案の靴用補助具は、底部、爪先被覆部、締着部を備えている。底部は、上面が靴の踵部を除く底面に対向する。爪先被覆部は、底部の上面との間にスポーツシューズ等の靴の爪先部が嵌入する空間を設けて底部における少なくとも爪先側端部の内側及び外側に連続する。締着部は、底部における後端部の内側面及び外側面に両端部が支持された帯状を呈し、靴の踵部に爪先側に向かって当接する。
【００１２】
この構成によれば、靴の爪先部が底部における爪先側端部の上面と爪先被覆部との空間に挿入され、靴の踵部に締着部が爪先側に向かって当接した状態で、この考案の靴用補助具が靴に外装される。靴の底面における踵部以外の部分は底部を介して接地し、靴の底面における踵部は底部の厚み分だけ地面から上方に位置する。使用者の踵は底部の厚み分だけ下方に移動することができ、使用者のアキレス腱が伸張されるとともに踵の無接地状態が維持される。
【００１３】
この構成において、内側面及び外側面が底部の上面から上方に立設しているものとすることができる。締着部の両端部を支持し易くなる。
【００１４】
締着部は、両端部が底部における後端部の内側面及び外側面に回転自在に支持されているものとすることもできる。締着部を多様な形状の靴の踵部の上部に容易に係止させることができる。
【００１５】
締着部は、全長を変更する調整機構を備えたものとすることもできる。多様な形状の靴に対応することができる。
【００１６】
底部における踵側の端部に少なくとも１条の切断用溝を形成することで、底部の前後長を短縮できるようにし、靴の形状や大きさの変化に対応できるとともに、運動中に下腿三頭筋に作用する負荷を変更できる。
爪先被覆部に幅方向への伸張構造を備えることで、靴の形状や大きさの変化に対応できる。
【考案の効果】
【００１７】
この考案によれば、靴を着用した競技練習中を含む運動中に使用者のアキレス腱を伸張させつつ踵の無接地状態を維持して下腿三頭筋へ刺激を効果的に与えることができ、運動内容に応じた脚力の強化を図ることで運動能力を効果的に向上させることができる。
【図面の簡単な説明】
【００１８】
【図１】（Ａ）及び（Ｂ）は、この考案の実施形態に係る靴用補助具の平面図及び側面図である。
【図２】同靴用補助具の側面断面図である。
【図３】（Ａ）及び（Ｂ）は、同靴用補助具の使用時の平面図及び側面断面図である。
【図４】（Ａ）〜（Ｅ）は、それぞれこの考案の別の実施形態に係る靴用補助具を示す図である。
【考案を実施するための形態】
【００１９】
以下に、この考案の実施形態に係る靴用補助具について図面を参照しつつ説明する。
【００２０】
図１及び図２に示すように、この考案の実施形態に係る靴用補助具１０は、一例として、ＥＶＡ樹脂等の合成樹脂を素材として成形された底部１、爪先被覆部２及び締着部３を備えている。なお、図１〜４では、右足用の靴用補助具１０のみを図示しているが、この考案の実施形態に係る靴用補助具は左右一対で構成され、左足用は右足用と左右対称形状を呈する。
【００２１】
底部１は、上面が靴の踵部を除く底面に対向する大きさにされている。底部１の内側端部及び外側端部のそれぞれから内側面１１及び外側面１２が上方に延出している。底部１の上面における爪先側端部を除く部分は上方に開放している。底部１は、所定の厚みを有し、上面は底面が接する地面に対して厚み分だけ上方に位置している。
【００２２】
爪先被覆部２は、底部１の上面との間に靴の爪先部が嵌入する空間を設けて内側面１１及び外側面１２の爪先側端部、並びに底部１における爪先側端部に連続して一体的に位置している。締着部３は、帯状を呈し、一例として、内側面１１及び外側面１２の踵側端部にハトメ３１，３２を介して両端部を回転自在に支持されている。
【００２３】
図３（Ａ）及び（Ｂ）に示すように、靴用補助具１０はスポーツシューズ１００（この考案の靴に相当する。）に外装して使用される。靴用補助具１０をスポーツシューズ１００に外装させる際には、締着部３を図３（Ｂ）中に二点鎖線で示すように下方に回転させた状態で、図３（Ｂ）中に二点鎖線で示すように踵部１０２を持ち上げたスポーツシューズ１００の爪先部１０１を底部１の上面と爪先被覆部２との間に挿入しつつ踵部１０２を下ろし、図３（Ｂ）中に実線で示すようにスポーツシューズ１００の底面における踵部１０２以外の部分を底部１の上面に接触させる。
【００２４】
この後、締着部３を必要に応じて弾性変形させながら上方に回転させ、スポーツシューズ１００の踵部１０２に上方から当接させる。スポーツシューズ１００の底面における踵部１０２以外の部分は底部１を介して接地し、踵部１０２は底部１の厚み分だけ地面から上方に位置する。なお、スポーツシューズ１００の内側面及び外側面は踵部１０２を除いて靴用補助具１０の内側面１１及び外側面１２内に収納され、スポーツシューズ１００の上面における甲部１０３は靴用補助具１０の上方に露出する。
【００２５】
スポーツシューズ１００は、爪先部１０１、踵部１０２及び甲部１０３以外の部分が底部１、内側面１１及び外側面１２によって包囲されるとともに、爪先部１０１における先端、内側、外側及び上面が底部１の爪先側端部、内側面１１、外側面１２及び爪先部１０１の上面によって包囲され、踵部１０２に締着部３が斜め上方から爪先側に向かって当接している。これらによって、スポーツシューズ１００に対する靴用補助具１０の外装状態が確実に維持される。
【００２６】
使用者の踵は底部１の厚み分だけ下方に移動することができ、使用者のアキレス腱が伸張されるとともに踵が接地しない状態に維持することができる。この状態でスポーツシューズを着用した競技練習中を含む靴を履いた状態での運動中に使用者のアキレス腱を伸張させつつ踵の無接地状態を維持して下腿三頭筋へ刺激を効果的に与えることができ、運動内容に応じた脚力の強化を図ることで運動能力を効果的に向上させることができる。
【００２７】
図３（Ａ）及び（Ｂ）に明らかなように、スポーツシューズ１００の爪先部１０１の上方には爪先被覆部２が位置し、スポーツシューズ１００の内側面１１及び外側面１２の外側には内側面１１及び外側面１２がそれぞれ位置している。また、スポーツシューズ１００の踵部１０２の上方には締着部３が位置している。これらによって、競技練習中を含む運動中にスポーツシューズ１００から靴用補助具１０が容易に離脱することがない。
【００２８】
一般にスポーツシューズは競技毎に形状や大きさが異なるが、靴用補助具１０はＥＶＡ樹脂等の弾性変形自在の合成樹脂を素材としているとともにスポーツシューズの甲部が上方に露出する形状であり、外装すべきスポーツシューズの形状や大きさの変化にある程度対応できる。したがって、スポーツシューズの形状や大きさのそれぞれに合わせて異なる形状や大きさが異なる多数種の靴用補助具１０を準備する必要はなく、大きさの異なる数種類の靴用補助具１０を準備することで多様な形状や大きさのスポーツシューズに対応することができる。また、靴用補助具１０は、スポーツシューズに限らず、歩行時に着用される種々の形状の靴にも外装できる。
【００２９】
図４（Ａ）に示す靴用補助具２０は、底部１の上面における踵側の端部に一例として２条の切断用溝１３を備えている。切断用溝１３は切断時のガイドとなり、使用者が切断用溝１３に沿ってカッター等を用いて切断することで、靴用補助具２０の底部１の長さを靴の形状や大きさに応じて短縮することができる。また、底部１の長さを短くすると、靴の底面における底部１の上面との接触範囲が狭くなる結果、運動中に下腿三頭筋に作用する負荷を大きくすることができる。なお、切断用溝１３は底部１の下面に形成することもでき、２条に限るものでもない。
【００３０】
図４（Ｂ）に示す靴用補助具３０は、締着部３３の少なくとも一方の端部に、ハトメ３１とハトメ３２（図４（Ｂ）ではハトメ３２は現れない。）との少なくとも一方が択一的に嵌合する嵌合孔３４を締着部３の長手方向に沿って複数備えている。靴用補助具３０は、靴の全体の形状や大きさ、並びに踵部の形状に応じて、締着部３３の長さを調整することで、締着部３３を靴の踵部に上方から確実に当接させることができる。複数の嵌合孔３４がハトメ３１，３２とともに、この考案の調整機構に相当する。
【００３１】
図４（Ｃ）に示す靴用補助具４０は、内側面４１（図４（Ｃ）では内側面４１は現れない。）と外側面４２との少なくとも一方における長手方向の中間部を省略している。靴用補助具４０は、靴の幅や側面部の形状が変化した場合にも内側面４１及び外側面４２が靴の側面部に干渉することがなく、種々の靴に外装することができる。
【００３２】
図４（Ｄ）に示す靴用補助具５０は、内側面１１と外側面１２（図４（Ｃ）では外側面１２は現れない。）との踵側端部それぞれから延出した締着部５３及び締着部５４を一体的に備え、締着部５３と締着部５４とを留め具５５を介して長さ調節を可能にして固定できるようにしている。締着部５３と締着部５４とを環状に一体的に形成し、留め具５５を省略することもできる。
【００３３】
図４（Ｅ）に示す靴用補助具６０は、爪先被覆部２の一部に前後方向に形成されたスリット６１を備えている。スリット６１は、この考案の伸張構造に相当する。靴用補助具６０は、靴の爪先部が大きい場合にスリット６１が開くことで靴の爪先部を底部１と爪先被覆部２との間に確実に挿入できる。なお、スリット６１は爪先被覆部２に複数備えることもできる。また、スリット６１を跨ぐ締着具を別途備えることもでき、この考案の伸張構造として爪先被覆部２の一部をゴム等の伸縮自在の素材で構成することもできる。
【００３４】
なお、図４（Ａ）〜（Ｅ）のそれぞれに示した特徴部分の一部又は全部を組み合わせて単一の靴用補助具とすることもできる。
【００３５】
上記の実施形態はいずれも一例であり、この考案はこれらに限定されるものではなく、この考案の範囲内で種々の変更を加えることが可能である。
【符号の説明】
【００３６】
１−底部
２−爪先被覆部
３−締着部
１０−靴用補助具
１１−内側面
１２−外側面
１００−スポーツシューズ
１０１−爪先部
１０２−踵部
【図１】
0003228114.tif 000003
【図２】
0003228114.tif 000004
【図３】
0003228114.tif 000005
【図４】
0003228114.tif 000006